(57)【要約】【課題】使用時以外は容積を減らすことが可能な加熱用容器を提供する。【解決手段】水又は水溶液との発熱反応を起こす発熱剤４と、その熱によって加熱させる被加熱物を入れたペットボトル６とを収容させる加熱用容器１である。  そして、少なくとも底部２１とその外縁を囲繞する側壁部２２とを有する折畳み自在の中空の外箱２と、その外箱の底部の上面２１ａと側壁部の内面２２ａに沿って配置されるように一枚の防水紙を折り曲げて容器状に形成される防水層部３０とを備えている。  ここで、防水層部を形成する防水紙３には、折り線が付けられている。また、外箱及び防水紙は、紙製であることが好ましい。【選択図】図１
2014124415.tif 000002
【特許請求の範囲】
【請求項１】
水又は水溶液との発熱反応を起こす発熱剤と、その熱によって加熱させる被加熱物を入れた内容器とを収容させる加熱用容器であって、
少なくとも底部とその外縁を囲繞する側壁部とを有する折畳み自在の中空の外箱と、
その外箱の前記底部の上面と前記側壁部の内面に沿って配置されるように一枚の防水シートを折り曲げて容器状に形成される防水層部とを備えたことを特徴とする加熱用容器。
【請求項２】
前記防水層部を形成する防水シートには、折り線が付けられていることを特徴とする請求項１に記載の加熱用容器。
【請求項３】
前記外箱及び前記防水シートは、紙製であることを特徴とする請求項１又は２に記載の加熱用容器。
【請求項４】
前記外箱は、上端開口を開閉自在に塞ぐ蓋部を備えていることを特徴とする請求項１乃至３のいずれか一項に記載の加熱用容器。
【請求項５】
前記外箱は前記内容器の開口が上方に突出する高さに形成されるとともに、前記蓋部には前記内容器の上部を通す貫通孔が設けられていることを特徴とする請求項４に記載の加熱用容器。
【請求項６】
前記防水シートは、防水加工された面側に、
正方形状のシート外縁を形成する四辺とそれぞれ平行となる谷折り線によって前記防水シートの中央に正方形の底面を形成する４本の底縁線と、
前記底面の頂点から前記シート外縁の角部に向けてそれぞれ延びる４本の谷折り線である対角線と、
前記対角線間で前記底縁線の一方の前記頂点からその底縁線に直交して前記シート外縁に向けて延びる山折り線である第１縦山線と、
前記底縁線の他方の前記頂点から前記第１縦山線に平行となるように前記シート外縁に向けて延びる谷折り線である第１縦谷線と、
前記第１縦山線と前記対角線との内角側に前記底縁線の長さと同じ間隔で前記第１縦山線に平行となる山折り線である第２縦山線と、
前記第１縦谷線と前記対角線との内角側に前記底縁線の長さと同じ間隔で前記第１縦谷線に平行となる谷折り線である第２縦谷線とを有し、
前記対角線を挟んで前記第１縦山線と前記第１縦谷線が形成されていることを特徴とする請求項１乃至５のいずれか一項に記載の加熱用容器。
【請求項７】
前記第２縦山線と前記対角線との間に、前記底縁線の長さと同じ間隔で前記第２縦山線に平行となる山折り線が１本以上、形成されるとともに、
前記第２縦谷線と前記対角線との間に、前記底縁線の長さと同じ間隔で前記第２縦谷線に平行となる谷折り線が１本以上、形成されることを特徴とする請求項６に記載の加熱用容器。
【請求項８】
前記シート外縁の角部に、前記第１縦山線と前記底縁線の長さの整数倍の間隔を置いて平行となる谷折り線である第１面取脇線と、前記第１縦谷線と前記底縁線の長さの整数倍の間隔を置いて平行となる谷折り線である第２面取脇線と、前記第１面取脇線と前記第２面取脇線との間の前記対角線の延長線上の山折り線である面取中央線とを有することを特徴とする請求項６又は７に記載の加熱用容器。
【請求項９】
前記シート外縁の角部は、前記第１縦山線と前記底縁線の長さの整数倍の間隔を置いて平行となる第１切込み線と、前記第１縦谷線と前記底縁線の長さの整数倍の間隔を置いて平行となる第２切込み線とによって切り欠かれていることを特徴とする請求項６又は７に記載の加熱用容器。
【発明の詳細な説明】
【技術分野】
【０００１】
本発明は、発熱剤を使用して水や食べ物などの被加熱物を加熱させるための加熱用容器に関するものである。
【背景技術】
【０００２】
粉体の酸化カルシウム、過酸化ナトリウム及びアルミニウムを含む混合物や酸化カルシウム（生石灰）などの発熱剤は、水や水溶液と接触すると発熱反応を起こす。このような発熱剤を使って、水や飲料などの液体を火やガスや電気などを使わずに簡単に加熱するための加熱用容器が知られている（特許文献１−３参照）。
【０００３】
特許文献１には、アウトカップの底に発熱体を入れ、その上にインナーカップを置き、アウトカップの注水口から発熱体に水を注ぐことで、インナーカップに入った水や飲み物を温めることができる、二重構造の携帯用加熱容器が開示されている。
【０００４】
また、特許文献２には、円筒状の紙コップの底に発熱剤と水を入れ、その上に缶やペットボトルを入れて水などを加熱する携帯用簡易加熱器が開示されている。
【０００５】
さらに、特許文献３には、厚紙によって円筒状に成形された外容器と金属製の内容器を備えた酒、コーヒー、茶などの加熱機能付き飲料容器が開示されている。
【先行技術文献】
【特許文献】
【０００６】
【特許文献１】特開２０００−１０７０３９号公報
【特許文献２】実用新案登録第３１３２０２９号公報
【特許文献３】実用新案登録第３０７３０３５号公報
【発明の概要】
【発明が解決しようとする課題】
【０００７】
しかしながら、特許文献１−３に開示された加熱用容器は、外容器と内容器の両方がカップ状又は筒状の使用時と同じ形状が保持されているため、保管時や搬送時に嵩張ることになる。また、使用後も嵩張った状態のままになるため、廃棄時のごみの量が増えるという課題がある。
【０００８】
そこで、本発明は、使用時以外は容積を減らすことが可能な加熱用容器を提供することを目的としている。
【課題を解決するための手段】
【０００９】
前記目的を達成するために、本発明の加熱用容器は、水又は水溶液との発熱反応を起こす発熱剤と、その熱によって加熱させる被加熱物を入れた内容器とを収容させる加熱用容器であって、少なくとも底部とその外縁を囲繞する側壁部とを有する折畳み自在の中空の外箱と、その外箱の前記底部の上面と前記側壁部の内面に沿って配置されるように一枚の防水シートを折り曲げて容器状に形成される防水層部とを備えている。
【００１０】
ここで、前記防水層部を形成する防水シートには、折り線が付けられているのが好ましい。また、前記外箱及び前記防水シートは、紙製であることが好ましい。
【００１１】
さらに、前記外箱は、上端開口を開閉自在に塞ぐ蓋部を備えた構成にすることができる。また、前記外箱は前記内容器の開口が上方に突出する高さに形成されるとともに、前記蓋部には前記内容器の上部を通す貫通孔が設けられている構成とすることができる。
【００１２】
そして、前記防水シートは、防水加工された面側に、正方形状のシート外縁を形成する四辺とそれぞれ平行となる谷折り線によって前記防水シートの中央に正方形の底面を形成する４本の底縁線と、前記底面の頂点から前記シート外縁の角部に向けてそれぞれ延びる４本の谷折り線である対角線と、前記対角線間で前記底縁線の一方の前記頂点からその底縁線に直交して前記シート外縁に向けて延びる山折り線である第１縦山線と、前記底縁線の他方の前記頂点から前記第１縦山線に平行となるように前記シート外縁に向けて延びる谷折り線である第１縦谷線と、前記第１縦山線と前記対角線との内角側に前記底縁線の長さと同じ間隔で前記第１縦山線に平行となる山折り線である第２縦山線と、前記第１縦谷線と前記対角線との内角側に前記底縁線の長さと同じ間隔で前記第１縦谷線に平行となる谷折り線である第２縦谷線とを有し、前記対角線を挟んで前記第１縦山線と前記第１縦谷線が形成されている構成とすることができる。
【００１３】
ここで、前記第２縦山線と前記対角線との間に、前記底縁線の長さと同じ間隔で前記第２縦山線に平行となる山折り線が１本以上、形成されるとともに、前記第２縦谷線と前記対角線との間に、前記底縁線の長さと同じ間隔で前記第２縦谷線に平行となる谷折り線が１本以上、形成される構成であってもよい。
【００１４】
また、前記シート外縁の角部に、前記第１縦山線と前記底縁線の長さの整数倍の間隔を置いて平行となる谷折り線である第１面取脇線と、前記第１縦谷線と前記底縁線の長さの整数倍の間隔を置いて平行となる谷折り線である第２面取脇線と、前記第１面取脇線と前記第２面取脇線との間の前記対角線の延長線上の山折り線である面取中央線とを有する構成であってもよい。
【００１５】
さらに、前記シート外縁の角部は、前記第１縦山線と前記底縁線の長さの整数倍の間隔を置いて平行となる第１切込み線と、前記第１縦谷線と前記底縁線の長さの整数倍の間隔を置いて平行となる第２切込み線とによって切り欠かれている構成とすることもできる。
【発明の効果】
【００１６】
このように構成された本発明の加熱用容器は、折畳み自在の外箱と一枚の防水シートを折り曲げて容器状に形成される防水層部とによって二重構造に構成される。
【００１７】
このため、外箱や防水シートを折り畳むことによって、使用時よりも容積を大幅に削減することができるので、保管時や搬送時や廃棄時に嵩張ることがない。
【００１８】
また、防水シートに折り線を付けておくことで、簡単に容器状の防水層部を組み立てることができる。例えば、四角筒状の防水層部に形成するための山折り線と谷折り線とを付けておくことができる。さらに、防水シートの角部が組み立てられた防水層部からはみ出さないように、面取り用に折り線を付けたり、切り欠いたりしておくことができる。
【００１９】
そして、外箱や防水シートが紙製であれば、使用後に資源ごみにしたり、燃やしてごみの量を減らしたりすることができる。
【００２０】
また、外箱に上端開口を塞ぐ蓋部が設けられていれば、加熱効率を上げたり、保温効果を高めたりすることができる。さらに、蓋部に内容器の上部を通す貫通孔が設けられていて、内容器の開口が上方に突出するようになっていれば、内容器を加熱用容器の中に入れたままで、内容器の中身を注いだり、飲んだりすることができる。
【図面の簡単な説明】
【００２１】
【図１】本実施の形態の加熱用容器の構成を示した説明図である。
【図２】防水紙に付けられた谷折り線と山折り線の位置を説明する平面図である。
【図３】防水紙を折り線に従って折り曲げて防水層部に組み立てる過程を示した斜視図である。
【図４】折り畳まれた状態の外箱の構成を示した説明図である。
【図５】外箱に防水層部を収容する状況を説明する斜視図である。
【図６】加熱中又は加熱後の加熱用容器の構成を説明する斜視図である。
【図７】実施例の防水紙に付けられた谷折り線と山折り線の位置を説明する平面図である。
【発明を実施するための形態】
【００２２】
以下、本発明の実施の形態について図面を参照して説明する。図１は、本実施の形態の加熱用容器１の構成を説明するための斜視図である。この加熱用容器１は、水又は水溶液との発熱反応を起こす発熱剤４の熱によって、被加熱物となる水や茶などの飲み物を加熱させる。
【００２３】
発熱剤４としては、例えば粉体の酸化カルシウムと粉体のアルミニウムと粉体の炭酸塩とを混合した発熱主剤を、水が浸透可能な不織布、和紙又は合成紙等の透水性の袋体に充填したものが使用できる。ここで、炭酸塩としては、炭酸ナトリウム、炭酸カリウム、炭酸マグネシウム等が使用できる。
【００２４】
このような発熱剤４に水５を掛けると、袋体から浸透した水が発熱主剤中の酸化カルシウムと発熱反応して水酸化カルシウムを生成する。そして、この反応の数がピークを過ぎて収束すると一旦発熱量が低下するが、前記反応で生成された水酸化カルシウムとアルミニウムとの反応により、発熱量が増大していく。
【００２５】
ここで、上述した構成の発熱剤４を使用する場合は水５を掛けることになるが、例えば炭酸塩を水に溶かした水溶液を掛ける場合は、炭酸塩を省略又は低減した発熱主剤を使用することができる。
【００２６】
また、加熱用容器１に入れる発熱剤４は、上述したものに限られるものではなく、水や水溶液と発熱反応を起こすものであれば、どのような発熱剤４であってもよい。例えば、酸化カルシウム（生石灰）を主成分にする発熱主剤を充填した発熱剤４が使用できる。
【００２７】
そして、このような発熱剤４を使って加熱をおこなう場合は、できるだけ狭い空間に発熱剤４と被加熱物を閉じ込めるのが好ましい。また、発熱剤４を発熱反応させるために水５を使用するので、防水性能を備えた容器に入れるのが好ましい。
【００２８】
さらに、加熱効率を上げたり、保温効果を高めたりするには、断熱性能のある容器を使用するのが好ましい。そこで、本実施の形態の加熱用容器１は、外箱２と防水層部３０との二重構造となっている。
【００２９】
この外箱２は、正方形の底部２１と、その外縁を囲繞する側壁部２２と、蓋部２３とを有する中空の四角筒状に形成される。この外箱２は、厚紙などによって製作されるもので、図４に示すように平らに折り畳むことができ、使用する際に図１，５に示すように四角筒状に組み立てられる。
【００３０】
底部２１は、図４に示すように複数の片が重ねられて正方形に組み立てられ、外箱２の底を塞ぐ。また、側壁部２２は、底部２１の四辺からそれぞれ垂直に立ち上げられる。
【００３１】
さらに、側壁部２２の上端の一辺には、蓋部２３が接続される。蓋部２３の先端には挿込片２３ｂが設けられており、外箱２の上端開口を開閉自在に塞ぐことができる。
【００３２】
また、蓋部２３の中央には、貫通孔２３ａが開けられている。さらに、蓋部２３の下方に配置される中蓋２４には、貫通孔２３ａの形状に合わせた凹部２４ａが形成される。
【００３３】
この貫通孔２３ａは、水などの被加熱物を入れる内容器としてのペットボトル６の開口を上方に突出させることができる大きさとなっている。また、外箱２の側壁部２２の高さも、図６に示すようにペットボトル６の上部（キャップ６１）が上方に突出する高さに成形される。
【００３４】
一方、防水層部３０は、図２に示すような一枚の防水シートとしての防水紙３を折り曲げて容器状に形成される。この防水層部３０は、図１に示すように外箱２の内面に沿って配置される。
【００３５】
防水層部３０となる防水紙３は、一方の面が防水加工された厚紙である。また、防水紙３には、複数の谷折り線と山折り線とが予め付けられている。図２は、防水加工された面を上面にしたときの防水紙３の谷折り線と山折り線とを示した説明図である。
【００３６】
この防水紙３は、正方形であって、その四辺がシート外縁３１，・・・となる。また、防水紙３の中央には、外箱２の底部２１よりも少し小さい正方形の底面３２０が形成されるように、４本の谷折り線が底縁線３２，・・・として形成される。この底縁線３２，・・・は、シート外縁３１，・・・とそれぞれ平行となる。
【００３７】
また、底縁線３２，３２の交点、換言すると正方形の底面３２０の頂点からシート外縁３１，３１の角部に向けて対角線３３が延びる。この対角線３３は、シート外縁３１，３１の頂点の手前まで延びる谷折り線である。この対角線３３の端部からシート外縁３１，３１の頂点までは、山折り線である面取中央線３６ｃとなる。
【００３８】
対角線３３，・・・は、底縁線３２，・・・によって形成される正方形の底面３２０のすべての頂点からそれぞれ延出される。そして、対角線３３，３３間で底縁線３２の一方の頂点（交点）からその底縁線３２に直交してシート外縁３１に向けて第１縦山線３４が延びる。
【００３９】
図２で説明すると、第１縦山線３４は、例えば左側の底縁線３２の下方の頂点から下側の底縁線３２の延長線上に設けられる山折り線である。そして、左側の底縁線３２の上方の頂点からは、第１縦山線３４に平行に第１縦谷線３５が設けられる。この第１縦谷線３５は、底縁線３２の頂点からシート外縁３１に向けて延びる谷折り線である。
【００４０】
一方、第１縦山線３４とそれに隣接する対角線３３との内角側には、第２縦山線３４ａが設けられる。この第２縦山線３４ａは、第１縦山線３４と底縁線３２の長さと同じ間隔を置いて平行となるように形成される山折り線である。
【００４１】
同様に、第１縦谷線３５と対角線３３との内角側に、底縁線３２の長さと同じ間隔で第１縦谷線３５に平行となる谷折り線である第２縦谷線３５ａが形成される。
【００４２】
また、図２の左下側を例に説明すると、第２縦山線３４ａの下方にそれに平行に第１面取脇線３６ａが設けられる。この第１面取脇線３６ａは、第２縦山線３４ａと底縁線３２の長さと同じ間隔を置いて形成される谷折り線である。
【００４３】
この第１面取脇線３６ａは、対角線３３と面取中央線３６ｃとの交点と交わる。また、この交点からは、第２縦谷線３５ａに平行となる第２面取脇線３６ｂが谷折り線によって形成される。
【００４４】
要するに、シート外縁３１，３１の角部には、第１縦山線３４と底縁線３２の長さの２倍（整数倍）の間隔を置いて形成される第１面取脇線３６ａと、第１縦谷線３５と底縁線３２の長さの２倍の間隔を置いて形成される第２面取脇線３６ｂと、第１面取脇線３６ａと第２面取脇線３６ｂとの間の面取中央線３６ｃとが形成される。
【００４５】
この第１面取脇線３６ａと第２面取脇線３６ｂと面取中央線３６ｃとを折り曲げると、図３に示すように、シート外縁３１，３１の角部が鋭角にならずに面取りされた形状となる。
【００４６】
そして、上述した谷折り線と山折り線のパターンは、対角線３３を挟んで第１縦山線３４と第１縦谷線３５が形成される順序で設けられる。すなわち、第１縦山線３４と第１縦谷線３５及び第２縦山線３４ａと第２縦谷線３５ａが、対角線３３上で交差するようなパターンで防水紙３に予め折り線を付けておく。
【００４７】
次に、本実施の形態の加熱用容器１の使用方法及び作用について説明する。
【００４８】
加熱用容器１を使用する前の時点、すなわち保管時や搬送時では、外箱２と防水紙３は、別々になっている。例えば防水紙３は、図２に示すようなシート状、又はいくつかに折り畳まれた平らな状態になっている。
【００４９】
また、外箱２も、図４に示すように折り畳まれた平らな状態となっている。このように外箱２や防水紙３が折り畳まれていれば、使用時よりも容積を大幅に削減することができるので、保管時や搬送時に嵩張ることがない。例えば、災害時に使用するために大量に保管しておく必要がある場合であっても、少ない占有容積で多くの加熱用容器１，・・・を保管しておくことができる。
【００５０】
そして、加熱用容器１として使用する際には、まず、外箱２を組み立てる。外箱２は、図４の状態から側壁部２２，２２を起こすようにすることで、底部２１，２１がそれに連動して閉じ、図５に示すような四角筒状になる。
【００５１】
続いて防水紙３を、予め付けられた谷折り線及び山折り線に従って図３に示すように折り曲げ、図５に示すような四角筒状の防水層部３０に組み立てる。この防水紙３には、予め谷折り線と山折り線とが付いているので、簡単に四角筒状の容器に組み立てることができる。
【００５２】
また、防水紙３の角部に第１面取脇線３６ａ、第２面取脇線３６ｂ及び面取中央線３６ｃが付いて角部が面取りされる。このため、防水層部３０の四角筒の角と、面取りされた防水紙３の端とが一致して、外箱２の中に収容させやすくなる。この防水層部３０は、外箱２の底部２１の上面２１ａ及び側壁部２２の内面２２ａに沿って配置される。
【００５３】
このようにして外箱２の中に防水層部３０を収容した加熱用容器１の防水層部３０の内側には、図１に示すように発熱剤４を入れる。そして、発熱剤４を発熱反応させるのに必要な量の水５を入れる。この防水層部３０は、内側が防水加工されているので、入れた水５が漏れ出すことはない。
【００５４】
さらに、防水層部３０の中には、水などの被加熱物が入ったペットボトル６を入れる。このペットボトル６の上部の開口を塞ぐキャップ６１は、加熱用容器１に収容した状態で外箱２の上方に突出する。
【００５５】
そして、ペットボトル６と干渉しないように凹部２４ａが設けられた中蓋２４を閉じる。続いて、キャップ６１を通す貫通孔２３ａが設けられた蓋部２３を、挿込片２３ｂを側壁部２２の内側に挿し込むことによって閉じる。
【００５６】
この状態で２０〜３０分すると、ペットボトル６の中の水が湯になる。このように外箱２に上端開口を塞ぐ蓋部２３が設けられていれば、加熱効率を上げることができる。
【００５７】
また、加熱用容器１は、外箱２と防水層部３０との二重構造となっているため、断熱性能が高い。さらに、加熱後においても、蓋部２３や二重構造による保温効果によって、被加熱物が冷めにくい。
【００５８】
また、蓋部２３にペットボトル６の上部を通す貫通孔２３ａが設けられていて、図６に示すようにペットボトル６の開口を塞ぐキャップ６１が上方に突出するようになっていれば、ペットボトル６を加熱用容器１の中に入れたままで、ペットボトル６の中身を注いだり、飲んだりすることができる。
【００５９】
そして、使用後に加熱用容器１を廃棄するときには、外箱２から防水層部３０を抜き出して、外箱２と防水層部３０とを折り畳めば嵩張ることがない。また、外箱２や防水紙３が資源ごみとなる紙製であれば、リサイクルにまわすことができる。さらに、紙製であれば、その場で燃やしてごみの量を減らすこともできる。
【実施例】
【００６０】
以下、前記した実施の形態で説明した防水紙３とは別の形態の防水シートとしての防水紙３Ａについて、図７を参照しながら説明する。なお、前記実施の形態で説明した内容と同一乃至均等な部分の説明については、同一用語や同一符号を付して説明する。
【００６１】
前記実施の形態で説明した防水紙３では、図３に示すように四角筒状から翼状に飛び出して巻き付ける部分を２つの側面に接触させる構成について説明したが、この実施例では、四角筒状から飛び出して巻き付ける部分を３つの側面に接触させる防水紙３Ａについて説明する。
【００６２】
この防水紙３Ａには、第１縦山線３４とそれに隣接する対角線３３との内角側に、第２縦山線３４ａ及び第３縦山線３４ｂが設けられる。この第３縦山線３４ｂは、第２縦山線３４ａと底縁線３２の長さと同じ間隔を置いて平行となるように形成される山折り線である。
【００６３】
一方、第１縦谷線３５とそれに隣接する対角線３３との内角側には、第２縦谷線３５ａ及び第３縦谷線３５ｂが設けられる。この第３縦谷線３５ｂは、第２縦谷線３５ａと底縁線３２の長さと同じ間隔を置いて平行となるように形成される谷折り線である。
【００６４】
また、実施例の防水紙３Ａには、前記実施の形態の防水紙３の第１面取脇線３６ａの代わりに第１切込み線３７ａが設けられる。この第１切込み線３７ａは、第３縦山線３４ｂと底縁線３２の長さと同じ間隔を置いた位置でそれに平行に切り込まれた線である。
【００６５】
この第１切込み線３７ａは、対角線３３と交差する。また、この交点からは、第３縦谷線３５ｂに平行となる第２切込み線３７ｂが延出される。そして、第３縦山線３４ｂと第１切込み線３７ａとに挟まれた面、及び第３縦谷線３５ｂと第２切込み線３７ｂとに挟まれた面が、四角筒状の３つ目の側面に接触することになる。
【００６６】
ここで、シート外縁３１，３１の角部は、第１切込み線３７ａと第２切込み線３７ｂとによって切り欠かれている。このようにシート外縁３１，３１の角部を切り欠くことによって、面取りしたときと同じように防水層部３０の四角筒の角と、防水紙３Ａの端とを一致させることができる。
【００６７】
なお、他の構成及び作用効果については、前記実施の形態と略同様であるので説明を省略する。
【００６８】
以上、図面を参照して、本発明の実施の形態及び実施例を詳述してきたが、具体的な構成は、この実施の形態又は実施例に限らず、本発明の要旨を逸脱しない程度の設計的変更は、本発明に含まれる。
【００６９】
例えば、前記実施の形態及び実施例では、防水シートとして防水紙３，３Ａを使用する場合について説明したが、これに限定されるものではなく、防水性能と所定温度以上（例えば100度以上）の耐熱性がある材料であれば紙に限定されない。また、外箱２についても、紙製に限定されるものではない。
【００７０】
さらに、前記実施の形態及び実施例では、折り曲げ易いように谷折り線と山折り線が予め付けられた防水紙３，３Ａについて説明したが、これに限定されるものではなく、折り線は付けずに谷折りと山折りが区別できる線が引かれた形態や、説明書で折り方を説明する形態などであってもよい。
【００７１】
また、前記実施の形態及び実施例では、四角筒状の加熱用容器１について説明したが、これに限定されるものではなく、円筒状、五角筒状、六角筒状など様々な形態にすることができる。
【００７２】
さらに、前記実施の形態では、外箱２の蓋部２３に貫通孔２３ａがある場合について説明したが、これに限定されるものではなく、内容器が外箱２から突出しない場合は貫通孔２３ａがなくてもよい。また、蓋部２３は、側壁部２２から切り離された別体であってもよい。さらに、加熱効率は低下することになるが、蓋部２３がなくても加熱用容器として使用できる。
【００７３】
また、前記実施の形態では、加熱用容器１にペットボトル６を入れる場合について説明したが、これに限定されるものではなく、缶や水筒などが内容器であってもよい。さらに、内容器に入れる被加熱物は、水などの液体でなくてもよく、レトルト食品などの流動体や固形の食べ物などであってもよい。
【符号の説明】
【００７４】
１              加熱用容器
２              外箱
２１            底部
２１ａ          上面
２２            側壁部
２２ａ          内面
２３            蓋部
２３ａ          貫通孔
３，３Ａ        防水紙（防水シート）
３０            防水層部
３１            シート外縁
３２            底縁線
３２０          底面
３３            対角線
３４            第１縦山線
３４ａ          第２縦山線
３４ｂ          第３縦山線
３５            第１縦谷線
３５ａ          第２縦谷線
３５ｂ          第３縦谷線
３６ａ          第１面取脇線
３６ｂ          第２面取脇線
３６ｃ          面取中央線
３７ａ          第１切込み線
３７ｂ          第２切込み線
４              発熱剤
５              水
６              ペットボトル（内容器）
６１            キャップ（上部）
【図１】
2014124415.tif 000003
【図２】
2014124415.tif 000004
【図３】
2014124415.tif 000005
【図４】
2014124415.tif 000006
【図５】
2014124415.tif 000007
【図６】
2014124415.tif 000008
【図７】
2014124415.tif 000009